(57)【特許請求の範囲】
【請求項１】
一端に開口を有した有底の収容空間が形成されたハウジングと、
前記収容空間内に所定間隔をおいて対向するとともに前記開口から前記収容空間内に延びて配設され、中間部において前記ハウジングに揺動自在に枢結されて取り付けられた一対のロックアームと、
前記一対のロックアームの間に位置して前記ロックアームの延設方向に移動自在となって前記ハウジングに取り付けられたスライダと、
前記一対のロックアームを、内端部同士が近づくとともに外端部同士が離反するように揺動する方向に付勢するアーム付勢バネと、
前記収容空間内に配設されたホルダー側端子とを備え、
前記アーム付勢バネにより付勢されて離反した前記一対のロックアームの外端部の間を通って前記収容空間内にランプの被把持部を挿入したときに、前記被把持部が前記スライダに当接してこれを内方に押し込み移動させ、内方に移動された前記スライダが前記一対のロックアームの前記内端部を前記アーム付勢バネの付勢力に抗して離反させて前記外端部同士を近づけ、前記外端部により前記被把持部を固定保持するとともにこの状態で前記ホルダー側端子が前記被把持部に設けられたランプ側端子と当接して電気接続されるように構成されていることを特徴とするランプホルダー。
【請求項２】
前記スライダが前記ハウジングにハートカム機構を介して取り付けられ、前記ランプの前記被把持部により前記スライダが内方に押し込まれたときに前記ハートカム機構により前記スライダがこのまま押し込み位置に保持され、前記押し込み位置に保持された前記スライダが前記被把持部により再度内方に押し込まれると前記ハートカム機構により前記スライダが外方に押し出されて押し出し位置に移動するように構成されていることを特徴とする請求項１に記載のランプホルダー。
【請求項３】
前記一対のロックアームの前記外端部に互いに対向する側に突出する係止突起がそれぞれ設けられ、前記ランプの前記被把持部に係止段部が設けられており、
前記スライダを内方に移動させ前記一対のロックアームの前記内端部を前記アーム付勢バネの付勢力に抗して離反させて前記外端部同士を近づけたとき、前記係止突起が前記係止段部に係止されて前記外端部により前記被把持部を固定保持することを特徴とする請求項１もしくは請求項２に記載のランプホルダー。
【請求項４】
一端に開口を有した有底の収容空間が形成されたハウジングと、
前記収容空間への挿入方向に移動自在となって前記ハウジングに取り付けられたスライダと、
所定間隔をおいて対向するとともに前記開口から前記収容空間内に延びて配設され、内端部において前記スライダに揺動自在に枢結されて取り付けられた一対のロックアームと、
前記一対のロックアームを外端部同士が離反するように揺動する方向に付勢するとともに前記スライダおよび前記一対のロックアームを前記収容空間内から前記開口へ向かわせるように付勢するアーム付勢バネと、
前記収容空間内に配設されたホルダー側端子とを備え、
前記アーム付勢バネにより付勢されて離反した前記一対のロックアームの外端部の間を通って前記収容空間内にランプの被把持部を挿入したときに、前記被把持部が前記スライダに当接して前記スライダおよび前記一対のロックアームを内方に押し込み移動させ、前記一対のロックアームが内方に移動するにつれ前記一対のロックアームの外側面と当接する前記ハウジングの縁部に押圧されて前記外端部同士が前記アーム付勢バネの付勢力に抗して近づき、前記外端部により前記被把持部を固定保持するとともにこの状態で前記ホルダー側端子が前記被把持部に設けられたランプ側端子と当接して電気接続されるように構成されていることを特徴とするランプホルダー。
【請求項５】
前記スライダが前記ハウジングにハートカム機構を介して取り付けられ、前記ランプの前記被把持部により前記スライダが内方に押し込まれたときに前記ハートカム機構により前記スライダがこのまま押し込み位置に保持され、前記押し込み位置に保持された前記スライダが前記被把持部により再度内方に押し込まれると前記ハートカム機構により前記スライダが外方に押し出されて押し出し位置に移動するように構成されていることを特徴とする請求項４に記載のランプホルダー。
【請求項６】
前記一対のロックアームの前記外端部に互いに対向する側に突出する係止突起がそれぞれ設けられ、前記ランプの前記被把持部に係止段部が設けられており、
前記スライダおよび前記一対のロックアームを内方に移動させ、前記一対のロックアームが内方に移動するにつれ前記一対のロックアームの外側面と当接する前記ハウジングの縁部に押圧されて前記外端部同士が前記アーム付勢バネの付勢力に抗して近づいたとき、前記係止突起が前記係止段部に係止されて前記外端部により前記被把持部を固定保持することを特徴とする請求項４もしくは請求項５に記載のランプホルダー。
【発明の詳細な説明】
【０００１】
【発明の属する技術分野】
本発明は、ランプ（電球）を一回の押圧で装着し、もう一回の押圧で解除（引き抜き）ができるランプホルダーに関する。
【０００２】
【従来の技術】
従来、例えば特開２００１−０４３９４４号公報に開示されたランプソケットが一般に知られている。このランプソケットは、ソケット本体に対しランプに設けられた嵌合部を嵌合させる嵌合凹部を形成するとともに、嵌合凹部の内面側にランプの電極に電気的に接続される中心電極、及び外側電極を設け、かつ、ソケット本体の軸孔に対し当該軸孔を中心として揺動自在となる一対のアームを装着して構成されている。一対のアームの先端にはランプの嵌合部側に構成された係止凸部と係止する係止爪が形成され、他端側の押圧部には付勢部材の付勢力が外方へ向けて付勢され、これによりランプの嵌合部がソケット本体の嵌合凹部に嵌合されると、一対のアームの係止爪がランプ側の係止凸部に係止し、ランプがソケット本体に保持されるものとなる。
【０００３】
ランプを取り外す際には、一方の手で一対のアームの押圧部（操作子）を付勢部材の付勢力に抗して押圧して軸孔を中心に一対のアーム先端の係止爪の間を開かせ、もって係止爪と係止凸部との係止関係を解放し、しかる状態でもう一方の手でランプを挟持しながらソケット本体から引き抜く。
【０００４】
【発明が解決しようとする課題】
しかしながら、上記のように従来のランプソケットにおいては、ランプを取り外す際に一方の手で一対のアームの押圧部を押圧しつつもう一方の手でランプを挟持して引き抜くという両方の手を使用しての引き抜き作業が必要となるため、ランプ着脱時の作業が大変に面倒であった。
【０００５】
本発明は、このような問題に鑑みてなされたものであり、一回の押圧動作のみでランプを装着したり取り外したりすることができるランプホルダーを提供することを目的とする。
【０００６】
【課題を解決するための手段】
このような目的達成のため、請求項１に記載の発明は、一端に開口を有した有底の収容空間が形成されたハウジングと、収容空間内に所定間隔をおいて対向するとともに開口から収容空間内に延びて配設され、中間部においてハウジングに揺動自在に枢結されて取り付けられた一対のロックアームと、一対のロックアームの間に位置してロックアームの延設方向に移動自在となってハウジングに取り付けられたスライダ（例えば、実施形態におけるハートカムスライド３１）と、一対のロックアームを、内端部同士が近づくとともに外端部同士が離反するように揺動する方向に付勢するアーム付勢バネと、収容空間内に配設されたホルダー側端子とを備えてランプホルダーが構成される。
【０００７】
そして、アーム付勢バネにより付勢されて離反した一対のロックアームの外端部の間を通って収容空間内にランプの被把持部を挿入したときに、被把持部がスライダに当接してこれを内方に押し込み移動させ、内方に移動されたスライダが一対のロックアームの内端部をアーム付勢バネの付勢力に抗して離反させて外端部同士を近づけ、外端部により被把持部を固定保持するとともにこの状態でホルダー側端子が被把持部に設けられたランプ側端子と当接して電気接続されるようにする。
【０００８】
このように構成されたランプホルダーによれば、収容空間内にランプの被把持部を挿入したときに、被把持部がスライダに当接してこれを内方に押し込み移動させ、内方に移動されたスライダが一対のロックアームの外端部同士を近づけて、外端部によりランプの被把持部が固定保持されるため、ランプの被把持部でスライダを押圧移動させる一回の押圧動作のみでランプを装着することができる。
【０００９】
このとき、スライダがハウジングにハートカム機構を介して取り付けられ、ランプの被把持部によりスライダが内方に押し込まれたときにハートカム機構によりスライダがこのまま押し込み位置に保持され、押し込み位置に保持されたスライダが被把持部により再度内方に押し込まれるとハートカム機構によりスライダが外方に押し出されて押し出し位置に移動するように構成されることが好ましい。このようにすれば、ハートカム機構によりスライダが内方に押し込まれたときに押し込み位置に保持され、再度スライダが内方に押し込まれると外方に押し出されて押し出し位置に移動するため、ランプの被把持部でスライダを押圧移動させる一回の押圧動作のみで滑らかにランプを装着したり取り外したりすることができる。
【００１０】
さらに、一対のロックアームの外端部に互いに対向する側に突出する係止突起がそれぞれ設けられ、ランプの被把持部に係止段部が設けられており、スライダを内方に移動させ一対のロックアームの内端部をアーム付勢バネの付勢力に抗して離反させて外端部同士を近づけたとき、係止突起が係止段部に係止されて外端部により把持部を固定保持することが好ましい。このようにすれば、係止突起が係止段部に係止されてランプの把持部が固定保持されるため、ランプの被把持部でスライダを押圧移動させる一回の押圧動作のみでより確実にランプを装着することができる。
【００１１】
また、請求項４に記載の発明は、一端に開口を有した有底の収容空間が形成されたハウジングと、収容空間への挿入方向に移動自在となってハウジングに取り付けられたスライダ（例えば、実施形態におけるハートカムスライド１３１）と、所定間隔をおいて対向するとともに開口から収容空間内に延びて配設され、内端部においてスライダに揺動自在に枢結されて取り付けられた一対のロックアームと、一対のロックアームを外端部同士が離反するように揺動する方向に付勢するとともにスライダおよび一対のロックアームを収容空間内から開口へ向かわせるように付勢するアーム付勢バネと、収容空間内に配設されたホルダー側端子とを備えてランプホルダーが構成される。
【００１２】
そして、アーム付勢バネにより付勢されて離反した一対のロックアームの外端部の間を通って収容空間内にランプの被把持部を挿入したときに、被把持部がスライダに当接してスライダおよび一対のロックアームを内方に押し込み移動させ、一対のロックアームが内方に移動するにつれ一対のロックアームの外側面と当接するハウジングの縁部に押圧されて外端部同士がアーム付勢バネの付勢力に抗して近づき、外端部により被把持部を固定保持するとともにこの状態でホルダー側端子が被把持部に設けられたランプ側端子と当接して電気接続されるようにする。
【００１３】
このように構成されたランプホルダーによれば、収容空間内にランプの被把持部を挿入したときに、被把持部がスライダに当接してスライダおよび一対のロックアームを内方に押し込み移動させ、一対のロックアームが内方に移動するにつれ一対のロックアームの外端部同士が近づいて、外端部によりランプの被把持部が固定保持されるため、ランプの被把持部でスライダを押圧移動させる一回の押圧動作のみでランプを装着することができる。
【００１４】
このとき、スライダがハウジングにハートカム機構を介して取り付けられ、ランプの被把持部によりスライダが内方に押し込まれたときにハートカム機構によりスライダがこのまま押し込み位置に保持され、押し込み位置に保持されたスライダが被把持部により再度内方に押し込まれるとハートカム機構によりスライダが外方に押し出されて押し出し位置に移動するように構成されることが好ましい。このようにすれば、ハートカム機構によりスライダが内方に押し込まれたときに押し込み位置に保持され、再度スライダが内方に押し込まれると外方に押し出されて押し出し位置に移動するため、ランプの被把持部でスライダを押圧移動させる一回の押圧動作のみで滑らかにランプを装着したり取り外したりすることができる。
【００１５】
さらに、一対のロックアームの外端部に互いに対向する側に突出する係止突起がそれぞれ設けられ、ランプの被把持部に係止段部が設けられており、スライダおよび一対のロックアームを内方に移動させ、一対のロックアームが内方に移動するにつれ一対のロックアームの外側面と当接するハウジングの縁部に押圧されて外端部同士がアーム付勢バネの付勢力に抗して近づいたとき、係止突起が係止段部に係止されて外端部により被把持部を固定保持することが好ましい。このようにすれば、係止突起が係止段部に係止されてランプの把持部が固定保持されるため、ランプの被把持部でスライダを押圧移動させる一回の押圧動作のみでより確実にランプを装着することができる。
【００１６】
【発明の実施の形態】
以下、本発明の好ましい実施形態について図面を参照しながら説明する。図１に本実施の形態のランプホルダー１の構成を示す。ランプホルダー１は、一方の側には底面３を有し他方の側には開口５を有する円筒状（多角筒状でもよい）の収容空間Ｓ１が形成されたハウジング７を備えている。
【００１７】
収容空間Ｓ１内には、詳しく図示しないが例えば左右一対（図１では上下の関係）の略半円状の柱体９が互いに内側の内平面側を対向させつつ収容されている。一対の柱体９，９の互いに向合う内平面側で、ハウジング７の開口５の位置よりも外方側の左右一対（図１では上下の関係）の位置には、例えば二組の軸孔（図示せず）が形成されており、この軸孔に一対のロックアーム１１，１１の揺動支軸１３，１３を挿入させることで、一対の柱体９，９の間には、一対のロックアーム１１，１１が揺動支軸１３，１３の中心軸を中心に揺動可能に配設されている。
【００１８】
一対のロックアーム１１，１１は、揺動支軸１３付近を境にハウジング７の底面５側へ向けて延びる内側揺動部分１５と、柱体９，９の外方側へ向けて延びる外側揺動部分１７とを備えて構成されている。内側揺動部分１５は、揺動支軸１３に近い側が内側（ハウジング７の中軸線方向）に向けて曲げ加工され、そ    の先端側がハウジング７の中軸線が延びる方向へ向けられている。従って、内側揺動部分１５は、その内側の面がハウジング７の中軸線の方向に向け傾斜する傾斜面１８を有する構成となっており、かつ、内側揺動部分１５の先端側には、底面５に向けハウジング７の中軸線に沿って略平行に延びる揺動止め部分１９が設けられている。即ち、一対のロックアーム１１，１１は、互いの揺動止め部分１９，１９を接触させることで、互いの揺動を静止させる構成を備えている。双方のロックアーム１１，１１の互いの揺動止め部分１９，１９の外側には、この揺動止め部分１９，１９の外側から内側に向け押圧力を付勢し、これにより常に外側揺動部分１７側を開く方向に揺動させる働きをするアーム付勢バネ２１が装着されている。アーム付勢バネ２１は、両端側が互いに内側に曲げられた構成を有しており、双方の先端側が、内側揺動部分１５，１５において、揺動止め部分１９，１９の境目である外側の屈曲部分に付勢しつつ係止されるとともに、底面５に当接保持されている。
【００１９】
一方、外側揺動部分１７は、先端側の内側にハウジング７の中軸線の方向へ向けて突出する係止突起２３を備えて構成されている。係止突起２３は、後述するランプ（電球）６１の装着時に、外側揺動部分１７が揺動支軸１３を支点に内側に揺動しても、ランプ６１の被把持部６２の部分に極力接することのないような突出長さとなっており、かつ、先端側が上辺に向け鋭角に形成されている。この角度は、ランプ６１を装着したり引き抜いたりする際にランプ６１の発光側の外面に接触することのないようにするために設定されたものである。
【００２０】
また、一対の柱体９，９の互いに向合う内平面の間には、ハートカムスライド３１がハートカム機構３０を介して前後方向（図１では左右方向の関係であり、具体的にはハウジング７の底面３と開口５との間の往復方向）へ摺動自在に収容されている。一対の柱体９，９の内平面には、ハートカムスライド３１の摺動方向を規制するするための突起、凹部、あるいは段差等を構成しても良い。
【００２１】
ハートカムスライド３１は、ハウジング７の底面３側に向けられる先端側において、一対のロックアーム１１，１１に対向する側の両側面の側には、先端に向うほど内側（ハウジング７の中軸線方向）に傾斜して一対のロックアーム１１，１１の各傾斜面１８，１８に摺接する一対の摺接面３２，３２が形成されている。ハートカムスライド３１の摺接面３２，３２は、常時、アーム付勢バネ２１の付勢力を介し一対のロックアーム１１，１１の傾斜面１８，１８から押圧されており、これにより常にハウジング７の開口５の方向へ移動させる押力を受けている。
【００２２】
ハートカム機構３０は主として、ハート型の形状を有するハートカム３３と、ハートカム３３と係合するカム係合部３４と、カム係合部３４を傾く姿勢を矯正する方向に付勢するカムロックスプリング４１とから構成される。ハートカム３３は、ハートカムスライド３１の互いに柱体９，９に対向する側の側面（片方の側面でも良く、両側面でも良い）にハート型の形状を有して形成されており、また詳しくは図示しないが、ハートカム３３の周囲には後述するカム係合部３４の摺動ないし転動をガイドするガイド溝が形成されている。
【００２３】
カム係合部３４は、一端側がハートカム３３に係合（ハートカム３３の周囲のガイド溝への係合と考えても良く、この一端側にはローラが設けられていると考えても良い）し、他端側が一対のロックアーム１１，１１のハウジング７の底面３側に向けられる先端側に係止されたカムロックスプリング４１に接続されている。カムロックスプリング４１は、例えばカム係合部３４がハートカム３３の移動により当該ハートカム３３の周囲に沿って姿勢を変化させる場合に、カム係合部３４の傾く姿勢を矯正する方向に付勢する力を与え、これによりハートカム３３に対するカム係合部３４の運動性を確かなものにしている。
【００２４】
また、カム係合部３４は、ハートカムスライド３１が収容空間Ｓ１の内方へ移動してハートカム３３におけるハウジング７の底面３側に最も近い位置に係合する場合、及び、ハートカムスライド３１が収容空間Ｓ１の外方へ移動してハートカム３３のハウジング７の開口５を向く側に構成された内湾曲部分（ハートカム３３の中心方向に凹む如く湾曲する部分）に係合する場合に、ハートカムスライド３１のハウジング７の開口５の方向への移動にストップを掛ける働きをし、ハートカムスライド３１の引き抜けを防止している。
【００２５】
収容空間Ｓ１内において、各ロックアーム１１，１１の付近には、ハウジング７の底面３を貫通して図示していない電源側に電気的に接続される一対のホルダー側端子５１，５１が収容されている。各ホルダー側端子５１，５１は、収容空間Ｓ１内に収容される部分に平板状部分を有し、この平板状部分の一部にはロックアーム１１を収容（挿通）させる切り溝（図示せず）が形成されており、平板状部分の先端側、即ちハウジング７の開口５を通り過ぎてロックアーム１１の外側揺動部分１７の係止突起２３の方向に向う側の先端側にはハートカムスライド３１の方向に曲げ加工されたランプ側端子６３，６３との接触部分５２が設けられている。この接触部分５２の中央側には、ハートカムスライド３１の一部を避けるための切り溝（図示せず）が形成されているとともに、この切り溝を境として平行に二股に別れる先端側には上記平板状部分に向う屈曲部分５３が形成されており、実際には、この屈曲部分５３の外表面がランプ側端子６３，６３との接触面となる。
【００２６】
一方、ランプ６１は、図２にも示すように、ハートカムスライド３１の外方を向く面（ハウジング７の底面３とは反対側に位置する面）に押圧接触可能な被把持部６２を備えるとともに、この被把持部６２の表裏面側の互いに対称を成す片側の位置には上記一対のホルダー側端子５１，５１の屈曲部分５３，５３と電気的に接続されてランプ６１を発光させるための電力を通すランプ側端子６３，６３が設けられている。またランプ６１の被把持部６２の表裏面側の先端側には、屈曲部分５３，５３が係止する第一係止段部６４，６４が設けられており、第一係止段部６４，６４よりも後方側には、一対のロックアーム１１，１１の各係止突起２３，２３が係止する第二係止段部６５，６５が設けられている。
【００２７】
第一係止段部６４は、前傾斜面６６と後傾斜面６７とを有する三角形状の構成を有し、当該三角形状の頂点を境に前傾斜面６６、及び後傾斜面６７ともにランプ６１の中心軸線方向に傾斜しているものであり、特に後傾斜面６７側がハウジング７側のホルダー側端子５１の屈曲部分５３との電気的接続面となる。一方、第二係止段部６５，６５は、前傾斜面６８を有する直角三角形状の構成を有しており、この直角三角形状の頂点から後ろの被把持部６２に対し直角を成す直角面６９は、ランプ６１をランプホルダー１に装着した際に一対のロックアーム１１の係止突起２３が係止する係止面となる。なお、図２において、ランプ６１は、その中心軸線を中心に１８０度回転させた場合も、作図上の関係は全く同じものとなるものであり、即ちランプ側端子６３，６３が被把持部６２の表裏面の互いに対称の位置に設けられていることが判るが、各ランプ側端子６３，６３は、第一係止段部６４の後傾斜面６７から第二係止段部６５の前傾斜面６８の表面にかけてこの外表面に沿って設けられている。
【００２８】
次に、本実施のランプホルダー１にランプ６１を装着する場合の作用にいて説明する。先ず、図１の状態においてランプ６１の被把持部６２をハウジング７側の一対の柱体９，９間に枢結されている一対のロックアーム１１，１１の係止突起２３，２３間の隙間に挿入する。ランプ６１の被把持部６２の挿入が進むと、ランプ６１の被把持部６２の先端面がハートカムスライド３１をハウジング７の底面３側へ押圧し、ハートカムスライド３１の一対の摺接面３２，３２を一対のロックアーム１１，１１の内側傾斜面１７，１７を摺動移動させ、これにより一対のロックアーム１１，１１を揺動支軸１３，１３を支点に揺動止め部分１９，１９を押し開くべく揺動させ、この時、ランプ６１には、アーム付勢バネ２１の付勢力が伝わってランプ６１の被把持部６２の挿入の継続に若干の抵抗が感じられるとともに、その一方でハートカム３３の周囲に沿ってカム係合部３４が姿勢変化を進行する。
【００２９】
ランプ６１の被把持部６２の挿入が更に進むと、一対のロックアーム１１，１１の揺動が更に進行するとともに、被把持部６２の先端側の第一係止段部６４，６４の前傾斜面６６，６６が一対のホルダー側端子５１，５１の屈曲部分５３，５３に当接し、かつ前傾斜面６６，６６が当該屈曲部分５３，５３を押し退けて、一対のホルダー側端子５１，５１の平板状部分を外側へ湾曲させるか、あるいは一対のホルダー側端子５１，５１の平板状部分と接触部分５２，５２との境目の湾曲部分を更に内側に湾曲させ、ランプ６１には、この一対のホルダー側端子５１，５１側の湾曲に伴う第二段目の抵抗が感じられる。続いて図３に示すように、接触部分５２，５２が自己反発力で、ランプ６１の被把持部６２の第一係止段部６４，６４の後傾斜面６７，６７に沿って摺動接触しつつ復帰すると、一対のホルダー側端子５１，５１の屈曲部分５３，５３とランプ６１の被把持部６２側のランプ側端子６３，６３との電気的接触が開始されるとともに、ランプ６１には、第二段目の抵抗が消滅するため、ランプ６１の装着が略完了に近いことが感じられ、かつ一対のホルダー側端子５１，５１の復帰力に伴い屈曲部分５３，５３の戻り力がランプ６１の第一係止段部６４，６４の後傾斜面６７，６７を一瞬ではあるが押圧し、この押圧力がランプ６１の被把持部６２の挿入を更に進めさせる働きをして、ランプ６１の装着が更に完了に近づいた、もしくは装着完了であることを感じさせる。
【００３０】
かくして、ランプ６１のランプ側端子６３，６３とハウジング７側の一対のホルダー側端子５１，５１との電気的接続が完全なものとなると、ハートカムスライド３１の押圧移動に伴う一対のロックアーム１１，１１の揺動も大きく進行して外側揺動部分１７，１７の係止突起２３，２３がランプ６１の第二係止段部６５の直角面６９へ係止し、これによりランプ６１のハウジング７側に対する保持が持続されるとともに、ハートカム機構３０のカム係合部３４もハートカム３３におけるハウジング７の底面３とは反対側の位置にある内湾曲部分に係合してハートカムスライド３１がランプ６１装着前の位置へと戻る移動にロックを掛ける。
【００３１】
一方、例えばランプ６１の交換のため、ランプ６１を引き抜く場合は、図３の状態において、ランプ６１をハウジング７側へもう一度押し込んでランプ６１の被把持部６２の先端面でハートカムスライド３１をハウジング７の底面３側へ押圧し、これにより一対のロックアーム１１，１１を再び揺動させる一方で、ハートカム機構３０のハートカム３３の移動に伴いハートカム３３周囲のガイド溝（図示せず）に沿ってカム係合部３４に対し押力を与え、この押力でハートカム３３の内湾曲部分に対するカム係合部３４の係合を解放させる。即ちハートカム３３の内湾曲部分（ハウジング７の底面３側へ向け湾曲している）に沿うガイド溝も当然に同方向に湾曲しており、従ってこの内湾曲部分のガイド溝がカム係合部３４に対し押圧力を与えると、カム係合部３４は、ガイド溝の押力に押されてガイド溝の湾曲に沿って自らの姿勢を変えるため、ハートカム３３の内湾曲部分から外れる。
【００３２】
ランプ６１を引き抜く場合、ハートカム３３の内湾曲部分からカム係合部３４の係合を外せる分だけハートカムスライド３１を押圧移動させれば良く、即ちランプ６１を極短い押圧ストローク分移動させた後、この押圧力を解くと、一対のロックアーム１１，１１の揺動止め部分１９，１９の外側に装着されているアーム付勢バネ２１の付勢力に伴って当該一対のロックアーム１１，１１が逆の方向に揺動し、これにより外側揺動部分１７，１７の先端側の係止突起２３，２３の間の距離が広げられるとともに、ハートカムスライド３１が一対のロックアーム１１，１１の傾斜面１７，１７に押されてハウジング７内から押出されるように移動しランプ６１の被把持部６２を外側へ押圧し、この結果、引き抜く力を殆ど用いなくともランプ６１を引き抜くことができるものとなる。
【００３３】
尚、今回のランプ６１の押し込みに伴って一対のロックアーム１１，１１が揺動する際の外側揺動部分１７，１７の先端側の係止突起２３，２３の揺動については、係止突起２３，２３の先端と揺動支軸１３，１３との間の距離を短く設定してあるので、係止突起２３，２３は、ランプ６１の被把持部６２の中心へ向け揺動するのではなく、概ね被把持部６２の押し込み移動方向に沿う方向に揺動するものであり、従って係止突起２３，２３の間に被把持部６２を挟み込んでしまう状態は生じない。
【００３４】
このため、以上のような構成のランプホルダー１によれば、収容空間Ｓ１内にランプ６１の被把持部６２を挿入したときに、被把持部６２がハートカムスライド３１に当接してこれを内方に押し込み移動させ、内方に移動されたハートカムスライド３１が一対のロックアーム１１，１１の外端部（係止突起２３，２３）同士を近づけて、外端部（係止突起２３，２３）によりランプ６１の被把持部６２が固定保持されるため、ランプ６１の被把持部６２でハートカムスライド３１を押圧移動させる一回の押圧動作のみでランプ６２を装着することができる。
【００３５】
次に、ランプホルダーの第二実施形態について図を参照し説明する。図４に本実施形態のランプホルダー１０１の構成を示す。なお、本実施形態において、ランプ６１は第一実施形態のものと同様であるため説明を省略する。本実施形態におけるランプホルダー１０１は、一方の側には底面１０３を有し他方の側には開口１０５を有する円筒状（多角筒状でもよい）の収容空間Ｓ２が形成されたハウジング１０７を備えている。ハウジング１０７の開口１０５側縁部には、詳細は後述する一対のロックアーム１１１，１１１を収容しやすくするためのテーパ部１０６が形成されている。
【００３６】
収容空間Ｓ２内には、ハートカムスライド１３１がハートカム機構１３０を介して前後方向（図４では左右方向の関係であり、具体的にはハウジング１０７の底面１０３と開口１０５との間の往復方向）へ摺動自在に収容されている。ハートカムスライド１３１は、ハウジング１０７の底面１０３側に向けられる先端側において、その左右（図１では上下の関係）に二組の軸孔１３１ａ，１３１ａが形成されており、この軸孔１３１ａ，１３１ａに一対のロックアーム１１１，１１１に形成された揺動支軸１１３，１１３を挿入することで、一対のロックアーム１１１，１１１がハートカムスライド１３１に揺動支軸１１３，１１３の中心軸を中心に揺動可能に枢結される。また、ハウジング１０７の底面１０３側に向けられる先端側には、底面１０３と向き合ってアーム付勢バネ（図示せず）の付勢力を受けるスライド端面１３２が形成されており、アーム付勢バネの付勢力によりハートカムスライド１３１にハウジング１０７の開口１０５の方向へ移動させる押圧力を受けるように構成されている。
【００３７】
ハートカム機構１３０は主として、ハート型の形状を有するハートカム１３３と、ハートカム１３３と係合するカム係合部１３４と、カム係合部１３４を傾く姿勢を矯正する方向に付勢するカムロックスプリング１４１とから構成される。ハートカム１３３は、ハートカムスライド１３１の互いに一対のロックアーム１１１，１１１に対向する側の側面（片方の側面でも良く、両側面でも良い）にハート型の形状を有して形成されており、また詳しくは図示しないが、ハートカム３３の周囲には後述するカム係合部３４の摺動ないし転動をガイドするガイド溝が形成されている。
【００３８】
カム係合部１３４は、一端側がハートカム１３３に係合（ハートカム１３３の周囲のガイド溝への係合と考えても良く、この一端側にはローラが設けられていると考えても良い）し、他端側が一対のロックアーム１１１，１１１のハウジング１０７の底面１０３側に向けられる先端側に係止されたカムロックスプリング１４１に接続されている。カムロックスプリング１４１は、例えばカム係合部１３４がハートカム１３３の移動により当該ハートカム１３３の周囲に沿って姿勢を変化させる場合に、カム係合部１３４の傾く姿勢を矯正する方向に付勢する力を与え、これによりハートカム１３３に対するカム係合部１３４の運動性を確かなものにしている。
【００３９】
また、カム係合部１３４は、ハートカムスライド１３１が収容空間Ｓ２の内方へ移動してハートカム１３３におけるハウジング１０７の底面１０３側に最も近い位置に係合する場合、及び、ハートカムスライド１３１が収容空間Ｓ２の外方へ移動してハートカム１３３のハウジング１０７の開口１０５を向く側に構成された内湾曲部分（ハートカム１３３の中心方向に凹む如く湾曲する部分）に係合する場合に、ハートカムスライド１３１のハウジング１０７の開口１０５の方向への移動にストップを掛ける働きをし、ハートカムスライド１３１の引き抜けを防止している。
【００４０】
一対のロックアーム１１１，１１１は、ハウジング１０７の底面１０３側に向けられる先端側が揺動支軸１１３，１１３を介してハートカムスライド１３１と枢結され、その枢結部からハウジング１０７の開口１０５側へ延びるように形成されており、ハートカムスライド１３１とともに収容空間Ｓ２内に前後方向へ摺動自在に収容されている。一対のロックアーム１１１，１１１の外側側面は、底面１０３側に向けられる先端側から中央部にかけて形成される第一外側面１１５，１１５と、中央部から開口１０５側に向けられる先端側にかけて形成される第二外側面１１７，１１７と、中央部において第一外側面１１５，１１５と第二外側面１１７，１１７との間に形成された傾斜面１１９，１１９とを備えて構成されている。
【００４１】
第一外側面１１５，１１５は、収容空間Ｓ２の側面における第一外側面１１５，１１５と向き合う面と所定間隔の間隙を有して、一対のロックアーム１１１，１１１の底面１０３側に向けられる先端側から中央部にかけてハウジング７の中軸線と平行に延びて形成され、一対のロックアーム１１１，１１１が収容空間Ｓ２内において外側へ揺動可能に構成される。第二外側面１１７，１１７は、収容空間Ｓ２の側面における第二外側面１１７と向き合う面と摺接するとともに、一対のロックアーム１１１，１１１の中央部から開口１０５側に向けられる先端側にかけてハウジング７の中軸線と平行に延びて形成され、この第二外側面１１７，１１７が収容空間Ｓ２内に位置したときに一対のロックアーム１１１，１１１がハウジング７の中軸線と平行となる位置へ揺動するように構成される。傾斜面１１９，１１９は、一対のロックアーム１１１，１１１の中央部において第二外側面１１７，１１７側から第一外側面１１５，１１５側へ向けてハウジング７の中軸線方向へ傾斜するように形成され、第一外側面１１５，１１５と第二外側面１１７，１１７とが滑らかに繋がるように構成される。
【００４２】
一対のロックアーム１１１，１１１の開口１０５側に向けられる先端側の内側には、ハウジング７の中軸線の方向へ向けて突出する係止突起１２３が形成されている。係止突起１２３は、ランプ６１の装着時に、一対のロックアーム１１１，１１１が揺動支軸１１３の中心軸を中心に内側へ揺動しても、ランプ６１の被把持部６２の部分に極力接することのないような突出長さとなっており、かつ、先端側が上辺に向け鋭角に形成されている。この角度は、ランプ６１を装着したり引き抜いたりする際にランプ６１の発光側の外面に接触することのないようにするために設定されたものである。
【００４３】
一対のロックアーム１１１，１１１の底面１０３側に向けられる先端側には、底面１０３と向き合ってアーム付勢バネ（図示せず）の付勢力を受けるアーム端面１２１，１２１が形成されており、アーム付勢バネの付勢力により一対のロックアーム１１１，１１１に外側へ揺動させる押圧力を受けるように構成されている。アーム付勢バネは、詳細には図示しないが、コイル状に形成されて、ハートカムスライド１３１のスライド端面１３２およびアーム端面１２１，１２１とハウジング１０７の底面１０３との間に配設されており、スライド端面１３２にハートカムスライド１３１をハウジング１０７の開口１０５の方向へ移動させる押圧力を付勢するとともに、アーム端面１２１，１２１に一対のロックアーム１１１，１１１を外側へ揺動させる押圧力を付勢するように構成されている。なお、アーム付勢バネは、コイル状のバネに限らず、例えば空気バネ等で構成されてもよい。
【００４４】
収容空間Ｓ２内において、各ロックアーム１１１，１１１の付近には、ハウジング１０７の底面１０３を貫通して図示していない電源側に電気的に接続される一対のホルダー側端子１５１，１５１が収容されている。各ホルダー側端子１５１，１５１は、収容空間Ｓ２内に収容される部分に平板状部分を有し、この平板状部分の一部にはロックアーム１１１を収容（挿通）させる切り溝（図示せず）が形成されており、平板状部分の先端側、即ちハウジング１０７の開口１０５を通り過ぎてロックアーム１１１の係止突起１２３の方向に向う側の先端側にはハートカムスライド１３１の方向に曲げ加工されたランプ側端子６３，６３との接触部分１５２が設けられている。この接触部分１５２の中央側には、ハートカムスライド１３１の一部を避けるための切り溝（図示せず）が形成されているとともに、この切り溝を境として平行に二股に別れる先端側には上記平板状部分に向う屈曲部分１５３が形成されており、実際には、この屈曲部分１５３の外表面がランプ側端子６３，６３との接触面となる。
【００４５】
次に、本実施のランプホルダー１０１にランプ６１を装着する場合の作用にいて説明する。先ず、図４の状態においてランプ６１の被把持部６２を収容空間Ｓ２に収容されている一対のロックアーム１１１，１１１の係止突起１２３，１２３間の隙間に挿入する。ランプ６１の被把持部６２の挿入が進むと、図５に示すように、被把持部６２の先端面がハートカムスライド１３１をハウジング１０７の底面１０３側へ押圧し、ハートカムスライド１３１およびハートカムスライド１３１と枢結された一対のロックアーム１１１，１１１を底面１０３側へ摺動移動させる。
【００４６】
このとき、アーム付勢バネの付勢力により一対のロックアーム１１１，１１１が揺動支軸１１３，１１３の中心軸を中心に外側へ揺動して、一対のロックアーム１１１，１１１の第一外側面１１５，１１５がハウジング１０７のテーパ部１０６の内方側端部に当接している状態であるが、一対のロックアーム１１１，１１１が底面１０３側へ移動するにつれて、第一外側面１１５，１１５も底面１０３側へ移動するとともにテーパ部１０６の内方側端部に押圧されて一対のロックアーム１１１，１１１がアーム付勢バネの付勢力に抗して内側へ揺動し、一対のロックアーム１１１，１１１の係止突起１２３，１２３同士が近づく。さらにこのとき、ランプ６１には、アーム付勢バネの付勢力が伝わってランプ６１の被把持部６２の挿入の継続に若干の抵抗が感じられるとともに、その一方でハートカム１３３の周囲に沿ってカム係合部１３４が姿勢変化を進行する。
【００４７】
ランプ６１の被把持部６２の挿入が更に進むと、一対のロックアーム１１１，１１１の揺動が更に進行するとともに、被把持部６２の先端側の第一係止段部６４，６４の前傾斜面６６，６６が一対のホルダー側端子１５１，１５１の屈曲部分１５３，１５３に当接し、かつ前傾斜面６６，６６がこの屈曲部分１５３，１５３を押し退けて、一対のホルダー側端子１５１，１５１の平板状部分を外側へ湾曲させるか、あるいは一対のホルダー側端子１５１，１５１の平板状部分と接触部分１５２，１５２との境目の湾曲部分を更に内側に湾曲させ、ランプ６１には、この一対のホルダー側端子１５１，１５１側の湾曲に伴う第二段目の抵抗が感じられる。
【００４８】
続いて図６に示すように、接触部分１５２，１５２が自己反発力で、被把持部６２の第一係止段部６４，６４の後傾斜面６７，６７に沿って摺動接触しつつ復帰すると、一対のホルダー側端子１５１，１５１の屈曲部分１５３，１５３とランプ６１の被把持部６２側のランプ側端子６３，６３との電気的接触が開始されるとともに、ランプ６１には、第二段目の抵抗が消滅するため、ランプ６１の装着が略完了に近いことが感じられ、かつ一対のホルダー側端子１５１，１５１の復帰力に伴い屈曲部分１５３，１５３の戻り力がランプ６１の第一係止段部６４，６４の後傾斜面６７，６７を一瞬ではあるが押圧し、この押圧力がランプ６１の被把持部６２の挿入を更に進めさせる働きをして、ランプ６１の装着が更に完了に近づいた、もしくは装着完了であることを感じさせる。
【００４９】
かくして、ランプ６１のランプ側端子６３，６３とハウジング１０７側の一対のホルダー側端子１５１，１５１との電気的接続が完全なものとなると、ハートカムスライド１３１の押圧移動に伴い一対のロックアーム１１１，１１１の第二外側面１１７，１１７が収容空間Ｓ２内に位置するため、一対のロックアーム１１１，１１１がハウジング７の中軸線と平行となる位置まで揺動して係止突起１２３，１２３がランプ６１の第二係止段部６５の直角面６９へ係止し、これによりランプ６１のハウジング１０７側に対する保持が持続されるとともに、ハートカム機構１３０のカム係合部１３４もハートカム１３３におけるハウジング１０７の底面１０３とは反対側の位置にある内湾曲部分に係合してハートカムスライド１３１がランプ６１装着前の位置へと戻る移動にロックを掛ける。
【００５０】
一方、例えばランプ６１の交換のため、ランプ６１を引き抜く場合は、図７に示すように、ランプ６１をハウジング１０７側へもう一度押し込んでランプ６１の被把持部６２の先端面でハートカムスライド１３１をハウジング１０７の底面１０３側へ押圧し、これによりハートカムスライド１３１および一対のロックアーム１１１，１１１を再び摺動移動させる一方で、ハートカム機構１３０のハートカム１３３の移動に伴いハートカム１３３周囲のガイド溝（図示せず）に沿ってカム係合部１３４に対し押力を与え、この押力でハートカム１３３の内湾曲部分に対するカム係合部１３４の係合を解放させる。即ちハートカム１３３の内湾曲部分（ハウジング１０７の底面１０３側へ向け湾曲している）に沿うガイド溝も当然に同方向に湾曲しており、従ってこの内湾曲部分のガイド溝がカム係合部１３４に対し押圧力を与えると、カム係合部１３４は、ガイド溝の押力に押されてガイド溝の湾曲に沿って自らの姿勢を変えるため、ハートカム１３３の内湾曲部分から外れる。
【００５１】
ランプ６１を引き抜く場合、ハートカム１３３の内湾曲部分からカム係合部１３４の係合を外せる分だけハートカムスライド１３１を押圧移動させれば良く、即ちランプ６１を極短い押圧ストローク分移動させた後、この押圧力を解くと、アーム付勢バネの付勢力に伴ってハートカムスライド１３１および一対のロックアーム１１１，１１１が逆の方向に摺動移動して、ハートカムスライド１３１がランプ６１装着前の位置へと戻るとともに、一対のロックアーム１１１，１１１の第二外側面１１７，１１７が収容空間Ｓ２の外方に位置し、アーム付勢バネの付勢力に伴って一対のロックアーム１１１，１１１が外側へ揺動して係止突起１２３，１２３の間の距離が広げられる。この結果、引き抜く力を殆ど用いなくともランプ６１を引き抜くことができるものとなる。
【００５２】
このため、以上のような構成のランプホルダー１０１によれば、収容空間Ｓ２内にランプ６１の被把持部６２を挿入したときに、被把持部６２がハートカムスライド１３１に当接してハートカムスライド１３１および一対のロックアーム１１１，１１１を内方に押し込み移動させ、一対のロックアーム１１１，１１１が内方に移動するにつれ一対のロックアーム１１１，１１１の外端部（係止突起１２３，１２３）同士が近づいて、外端部（係止突起１２３，１２３）によりランプ６１の被把持部６２が固定保持されるため、ランプ６１の被把持部６２でハートカムスライド１３１を押圧移動させる一回の押圧動作のみでランプを装着することができる。
【００５３】
【発明の効果】
以上説明したように、本発明による請求項１に記載のランプホルダーよれば、収容空間内にランプの被把持部を挿入したときに、被把持部がスライダに当接してこれを内方に押し込み移動させ、内方に移動されたスライダが一対のロックアームの外端部同士を近づけて、外端部によりランプの被把持部が固定保持されるため、ランプの被把持部でスライダを押圧移動させる一回の押圧動作のみでランプを装着することができる。
【００５４】
このとき、スライダがハウジングにハートカム機構を介して取り付けられ、ランプの被把持部によりスライダが内方に押し込まれたときにハートカム機構によりスライダがこのまま押し込み位置に保持され、押し込み位置に保持されたスライダが被把持部により再度内方に押し込まれるとハートカム機構によりスライダが外方に押し出されて押し出し位置に移動するように構成されることが好ましい。このようにすれば、ハートカム機構によりスライダが内方に押し込まれたときに押し込み位置に保持され、再度スライダが内方に押し込まれると外方に押し出されて押し出し位置に移動するため、ランプの被把持部でスライダを押圧移動させる一回の押圧動作のみで滑らかにランプを装着したり取り外したりすることができる。
【００５５】
さらに、一対のロックアームの外端部に互いに対向する側に突出する係止突起がそれぞれ設けられ、ランプの被把持部に係止段部が設けられており、スライダを内方に移動させ一対のロックアームの内端部をアーム付勢バネの付勢力に抗して離反させて外端部同士を近づけたとき、係止突起が係止段部に係止されて外端部により把持部を固定保持することが好ましい。このようにすれば、係止突起が係止段部に係止されてランプの把持部が固定保持されるため、ランプの被把持部でスライダを押圧移動させる一回の押圧動作のみでより確実にランプを装着することができる。
【００５６】
また、本発明による請求項４に記載のランプホルダーによれば、収容空間内にランプの被把持部を挿入したときに、被把持部がスライダに当接してスライダおよび一対のロックアームを内方に押し込み移動させ、一対のロックアームが内方に移動するにつれ一対のロックアームの外端部同士が近づいて、外端部によりランプの被把持部が固定保持されるため、ランプの被把持部でスライダを押圧移動させる一回の押圧動作のみでランプを装着することができる。
【００５７】
このとき、スライダがハウジングにハートカム機構を介して取り付けられ、ランプの被把持部によりスライダが内方に押し込まれたときにハートカム機構によりスライダがこのまま押し込み位置に保持され、押し込み位置に保持されたスライダが被把持部により再度内方に押し込まれるとハートカム機構によりスライダが外方に押し出されて押し出し位置に移動するように構成されることが好ましい。このようにすれば、ハートカム機構によりスライダが内方に押し込まれたときに押し込み位置に保持され、再度スライダが内方に押し込まれると外方に押し出されて押し出し位置に移動するため、ランプの被把持部でスライダを押圧移動させる一回の押圧動作のみで滑らかにランプを装着したり取り外したりすることができる。
【００５８】
さらに、一対のロックアームの外端部に互いに対向する側に突出する係止突起がそれぞれ設けられ、ランプの被把持部に係止段部が設けられており、スライダおよび一対のロックアームを内方に移動させ、一対のロックアームが内方に移動するにつれ一対のロックアームの外側面と当接するハウジングの縁部に押圧されて外端部同士がアーム付勢バネの付勢力に抗して近づいたとき、係止突起が係止段部に係止されて外端部により被把持部を固定保持することが好ましい。このようにすれば、係止突起が係止段部に係止されてランプの把持部が固定保持されるため、ランプの被把持部でスライダを押圧移動させる一回の押圧動作のみでより確実にランプを装着することができる。
【図面の簡単な説明】
【図１】本発明の第一実施形態におけるランプホルダーの構成を説明する一部破断説明図である。
【図２】本発明の第一実施形態におけるランプの外観構成を説明する説明図である。
【図３】本発明の第一実施形態におけるランプホルダーにランプを装着した状態を説明する一部破断説明図である。
【図４】本発明の第二実施形態におけるランプホルダーの構成を説明する一部破断説明図である。
【図５】本発明の第二実施形態における一対のロックアームの隙間にランプを挿入した状態を説明する一部破断説明図である。
【図６】本発明の第二実施形態におけるランプホルダーにランプを装着した状態を説明する一部破断説明図である。
【図７】本発明の第二実施形態におけるランプホルダーにランプが装着された状態からさらにランプを押し込んだ状態を説明する一部破断説明図である。
【符号の説明】
１  ランプホルダー（第一実施形態）
３  底面
５  開口
７  ハウジング
９  柱体
１１  ロックアーム
１３  揺動支軸
１５  内側揺動部分
１７  外側揺動部分
１８  傾斜面
１９  揺動止め部分
２１  アーム付勢バネ
２３  係止突起
３０  ハートカム機構
３１  ハートカムスライド
３２  摺接面
３３  ハートカム
３４  カム係合部
４１  カムロックスプリング
５１  ホルダー側端子
５２  接触部分
５３  屈曲部分
６１  ランプ
６２  被把持部
６３  ランプ側端子
６４  第一係止段部
６５  第二係止段部
１０１  ランプホルダー（第二実施形態）
１０３  底面
１０５  開口
１０６  テーパ部
１０７  ハウジング
１１１  ロックアーム
１１３  揺動支軸
１１５  第一外側面
１１７  第二外側面
１１９  傾斜面
１２１  アーム端面
１２３  係止突起
１３０  ハートカム機構
１３１  ハートカムスライド
１３２  スライド端面
１３３  ハートカム
１３４  カム係合部
１４１  カムロックスプリング
１５１  ホルダー側端子
１５２  接触部分
１５３  屈曲部分
Ｓ１  収容空間（第一実施形態）
Ｓ２  収容空間（第二実施形態）
【図１】
0004071559.tif 000002
【図２】
0004071559.tif 000003
【図３】
0004071559.tif 000004
【図４】
0004071559.tif 000005
【図５】
0004071559.tif 000006
【図６】
0004071559.tif 000007
【図７】
0004071559.tif 000008